(57)【要約】【課題】アンサーバック動作のパタン変更を可能とするとともに、パタン変更を簡易に行えるようにすることを課題とする。【解決手段】自動車ドアロック通知装置として、光及び／又は音を発生する発生装置に接続され、この発生装置を通じて光及び／又は音の発生による通知を行う通知手段と、前記通知手段による１以上のパラメーターにより定められる通知パタンを設定する手段であって、少なくとも、１以上の機械的に動く設定器具の動作部分の設定位置により、前記パラメーターの内の１以上が定められる通知パタン設定手段と、自動車のドアのロックの施錠及び／又は開錠により生じる信号を受け付けるドアロック信号受付手段と、前記ドアロック受付手段が前記信号を受け付けると、前記通知パタン設定手段により設定される通知パタンに従って前記通知手段による通知を行わせる制御手段とを設ける。【選択図】  図４
2010084507.tif 000002
【特許請求の範囲】
【請求項１】
光及び／又は音を発生する発生装置に接続され、当該発生装置を通じて光及び／又は音の発生による通知を行う通知手段と、
１以上のパラメーターにより定められる前記通知手段による通知パタンを設定する手段であって、少なくとも、１以上の機械的に動く設定器具の動作部分の設定位置により、前記パラメーターの内の１以上が定められる通知パタン設定手段と、
自動車のドアのロックの施錠及び／又は開錠により生じる信号を受け付けるドアロック信号受付手段と、
前記ドアロック受付手段が前記信号を受け付けると、前記通知パタン設定手段により設定される通知パタンに従って前記通知手段による通知を行わせる制御手段と
を有する自動車ドアロック通知装置。
【請求項２】
前記通知パタンは、光及び／又は音の発生と休止を繰り返すものであって、光及び／又は音の発生時間、休止時間に対応する値を前記通知パタンを定めるパラメーターとして含む請求項1に記載の自動車ドアロック通知装置。
【請求項３】
前記設定器具は、前記パラメーターとして前記発生時間に対応する値を定める第１設定器具と、前記パラメーターとして前記休止時間に対応する値を定める第２設定器具が含まれる請求項２に記載のドアロック通知装置。
【請求項４】
前記光及び／又は音の、発生長さ、休止長さに対応する値に加えて、
前記光及び／又は音の発生回数に対応する値を前記通知パタンを定めるパラメーターとして含む請求項２又は３に記載の自動車ドアロック通知装置。
【請求項５】
前記ドアロック信号受付手段は、自動車ドアのロックの施錠及び開錠のそれぞれに対して異なる信号を受け付けるものであり、
前記通知パタン設定手段は、自動車ドアのロックの施錠時と自動車ドアのロックの開錠時のぞれぞれに異なる通知パタンを設定できるものであって、
前記制御手段は、ドアロック信号受付手段が受け付けた信号の種類に従って、前記通知パタン設定手段に設定されている通知パタンを選択して、前記通知手段による通知を行わせるものである請求項１から４のいずれか１項に記載の自動車ドアロック通知装置。
【請求項６】
前記通知手段は音を発生する発生装置に接続されるものであって、当該音を発生する発生装置は、通知手段からの出力信号の強さに応じた大きさの音を発生するものであり、さらに、
前記出力信号を増幅する増幅装置であって、当該出力信号の増幅量を調節する増幅量調整器を備える増幅装置を有するものである
請求項１から５のいずれか１項に記載の自動ドアロック通知装置。
【発明の詳細な説明】
【技術分野】
【０００１】
本発明は、自動車のドアロックの作動を通知する装置に関する。
【背景技術】
【０００２】
近年の自動車は、ドアロックを遠隔操作することができるものが一般的であり、ドアロックの遠隔操作において、ヘッドライトが点灯したり、音が鳴ったりする、いわゆるアンサーバック機能を有することが多い。ところで、このアンサーバック機能によるライトの点灯の仕方や、音の鳴り方は、予め定められており、通常は変更ができない。
しかし、アンサーバックの設定は多くの自動車で類似しているので、離れたところからドアロックを遠隔操作した場合、他人の自動車のアンサーバック動作も生じていると、明確に自己の自動車のドアロックが施錠されたか、又は、開錠されたかを判断することが難しい。
これに対して、下記特許文献には、アンサーバックの動作を変更できるものが示されている。下記特許文献１に記載の発明は、アンサーバック時の音声データを録音することで、音声データを変更することが示されている。下記特許文献２には、ヘッドライト等のランプ類の点灯やホーン音の発生パタンの記憶を変更することが示されている。
このように、アンサーバックの動作を使用者が設定できるようにすることにより、離れたところからドアロックを遠隔操作しても、自己の自動車のアンサーバック動作を容易に認識することができる。
【先行技術文献】
【特許文献】
【０００３】
【特許文献１】特開２００４−１９３３４号公報
【特許文献２】特開２００１−２５４５４５号公報
【発明の概要】
【発明が解決しようとする課題】
【０００４】
しかし、上記特許文献１に記載の発明は、アンサーバックの動作の設定を、録音により行う必要があり、設定の変更に際して時間と労力を要する。また、上記特許文献２に記載の発明もアンサーバック動作の設定も、音や光の発生パタンをメモリーに記憶させていく必要があるので、やはり設定が面倒で、労力を要する。
本発明は、このような問題に鑑みて、アンサーバック動作のパタン変更を可能とするとともに、パタン変更を簡易に行えるようにすることを課題とする。
【課題を解決するための手段】
【０００５】
上記課題を解決するために、本発明は次のような構成を有する。
請求項１に記載の発明は、光及び／又は音を発生する発生装置に接続され、当該発生装置を通じて光及び／又は音の発生による通知を行う通知手段と、１以上のパラメーターにより定められる前記通知手段による通知パタンを設定する手段であって、少なくとも、１以上の機械的に動く設定器具の動作部分の設定位置により、前記パラメーターの内の１以上が定められる通知パタン設定手段と、自動車のドアのロックの施錠及び／又は開錠により生じる信号を受け付けるドアロック信号受付手段と、前記ドアロック受付手段が前記信号を受け付けると、前記通知パタン設定手段により設定される通知パタンに従って前記通知手段による通知を行わせる制御手段とを有する自動車ドアロック通知装置である。
請求項２に記載の発明は、前記自動車ドアロック通知装置において、前記通知パタンは、光及び／又は音の発生と休止が繰り返されるものであって、光及び／又は音の発生時間、休止時間に対応する値を前記通知パタンを定めるパラメーターとして含むものである。
請求項３に記載の発明は、請求項２に記載の自動車ドアロック通知装置において、前記設定器具は、前記パラメーターとして前記発生時間に対応する値を定める第１設定器具と、前記パラメーターとして前記休止時間に対応する値を定める第２設定器具が含まれるものである。
請求項４に記載の発明は、請求項２又は３に記載の自動車ドアロック通知装置において、  前記光及び／又は音の、発生長さ、休止長さに対応する値に加えて、前記光及び／又は音の発生回数に対応する値を前記通知パタンを定めるパラメーターとして含むものである。
請求項５に記載の発明は、前記自動車ドアロック通知装置において、前記ドアロック信号受付手段は、自動車ドアのロックの施錠及び開錠のそれぞれに対して異なる信号を受け付けるものであり、前記通知パタン設定手段は、自動車ドアのロックの施錠時と自動車ドアのロックの開錠時のぞれぞれに異なる通知パタンを設定できるものであって、前記制御手段は、ドアロック信号受付手段が受け付けた信号の種類に従って、前記通知パタン設定手段に設定されている通知パタンを選択して、前記通知手段による通知を行わせるものである。
請求項６に記載の発明は、前記自動車ドアロック通知装置において、前記通知手段は音を発生する発生装置に接続されるものであって、当該音を発生する発生装置は、通知手段からの出力信号の強さに応じた大きさの音を発生するものであり、さらに、前記出力信号を増幅する増幅装置であって、当該出力信号の増幅量を調節する増幅量調整器を備える増幅装置を有するものである。
【発明の効果】
【０００６】
請求項１に記載の発明は、ドアロックの施錠及び／又は開錠時に通知手段が行う通知パタンを定めるパラメーターの少なくとも１つが、機械的に動く設定器具の動作部分の設定位置により定められるので、通知パタンは設定器具の操作により変更することができ、簡易かつ迅速にアンサーバックの設定変更をすることができる。
請求項２に記載の発明は、通知パタンを定めるパラメーターとして発生時間と休止時間を定める値が用いられ、通知パタンを間欠的に繰り返すものとして設定することで、通知パタンがわかりやすくなり、設定を容易に行うことができる。
請求項３に記載の発明は、発生時間と休止時間を２つの機械的な設定器具により個別に設定できるので、設定操作をより単純にすることができる。
請求項４に記載の発明は、通知パタンを定めるパラメーターとして、光及び／又は音の発生回数に対応する値を含めることで、通知パタンのバリエーションが増加し、他の自動車との設定の差別化をより容易に行うことができる。
請求項５に記載の発明は、ドアロックの施錠時と開錠時で異なる通知パタンを発生させることで、使用者がドアロックが施錠されたのか、開錠されたのかを容易に認識することができる。
請求項６に記載の発明は、音を発声する発生装置による通知を行なわせる場合において、音量調整器により発生する音の大きさを調節することができるので、野外の広い駐車場では通知音を大きくしたり、室内の狭い駐車場では通知音を小さくしたりする等、状況に応じて適当な大きさの音を発生させるようにすることができる。
【図面の簡単な説明】
【０００７】
【図１】実施形態に係る自動車ドアロック通知装置の斜視図である。
【図２】実施形態に係る自動車ドアロックのハードウエア構成を示すブロック図である。
【図３】実施形態に係る自動車ドアロックの機能を模式的に示す機能ブロック図である。
【図４】実施形態に係る自動車ドアロックの動作を示すフローチャートである。
【発明を実施するための形態】
【０００８】
以下、本発明の実施の形態について、図面を参照しながら説明する。
図１に実施形態に係る自動車ドアロック通知装置Ｘの外観を示す斜視図を示し、図２に自動車ドアロック通知装置Ｘのハードウエア構成の概要を示すブロック図を示す。自動車ドアロック通知装置Ｘは、外装ケース９０内に、ＣＰＵ、ＲＡＭ，ＲＯＭ、クロック等からなるマイコン１０を内蔵したものであり、マイコン１０に０〜１６までの回転位置を４ビットの信号に変換して出力するローター式の、４ビットBCD（２進化１０進）スイッチからなるドアロックスイッチ２０、ドアアンロックスイッチ３０、プッシュスイッチからなる設定スイッチ４０、電源スイッチ５０、ＬＥＤランプ６０、音量調整器７０Ａ、図示しない外部端子などが接続されている。ドアロックスイッチ２０、ドアアンロックスイッチ３０は、動作部分の設定位置によりパラメーターを設定する機械的に動く設定器具を構成する。外部端子は、自動車のドアロック信号、ホーンなどの音発生装置、スモールランプに接続されている。このうち、音声発生装置に接続される外部端子には出力信号を増幅する増幅器７０が接続され、この出力信号の増幅量は可変抵抗器からなる音量調節器７０Ａにより調節することができる。自動車ドアロック通知装置Ｘは、マイコン１０のＲＯＭに所定のプログラムを内蔵することにより以下に示す動作を行う。
【０００９】
図３にマイコン１０に所定のプログラムを組み込むことにより実現される、自動車ドアロック通知装置Ｘの機能的な構成を模式的に表す機能ブロック図を示す。自動車ドアロック通知装置Ｘは、機能的に、入力部１１０、波形形成部１２０、パルス幅設定部１３０、ワンショットマルチバイブレーター１４０、出力部１５０を有する。入力部１１０は、自動車のドアロックの開錠時の信号及び施錠時の信号を受け付ける。波形形成部１２０は、通知出力信号を構成するパルス波形を生成する。パルス幅設定部１３０は、波形形成部１２０で生成されたパルス波形のパルス幅と周期、発生回数を、使用者の操作を受け付けて設定しこれを記憶する。ワンショットマルチバイブレーター１４０は、波形形成部１２０により生成されるパルス波形を、パルス幅設定部１３０で記憶された条件に基づいて返還して出力する。出力部１５０は、ワンショットマルチバイブレーター１４０により出力される信号に基づいて、外部に接続される音発生装置を鳴らし、スモールランプを発光させ、さらに、確認用のＬＥＤランプ６０を発光させる。
【００１０】
次に、以上のような構成を有する自動車ドアロック通知装置Ｘの動作について、説明する。まず、通知パタンの設定について説明する。通知パタンの設定は、設定パラメーターである出力回数と、出力信号の発生する長さ（発生時間）と、出力する信号の発生する間隔（休止時間）とにより定められる。
回数の設定に際しては、まず、電源スイッチ５０を切った状態で、ドアロックが施錠された際の信号の発生回数をドアロックスイッチ２０の０〜１５の回転位置により設定し、同時に、ドアロックが開錠された際の信号の発生回数をドアアンロックスイッチ３０の０〜１５の回転位置により設定する。その後、設定スイッチ４０を押しながら電源スイッチ５０を入れ、設定スイッチを押した状態を１秒以上保持することで、パルス設定部１３０にドアロックの施錠時と開錠時の信号発生回数が記憶される。
信号の発生する長さは、ドアロックスイッチ２０の０〜１５の回転位置により設定する。出力する信号の発生する間隔は、ドアアンロックスイッチ３０の０〜１５の回転位置により設定する。以上で、通知パタンの設定は完了する。
なお、音による通知に関する発生音の大きさは、音量調整器７０Ａを調節することにより行われる。
【００１１】
次に、ドアロック通知装置Ｘの上記設定動作を含む、通知動作について説明する。図４にかかる動作を表すフローチャートを示す。まず、電源スイッチ５０が入ると（ｓ１０１）、設定スイッチ４０が入っていないかどうかが判断され（ｓ１０２）、設定スイッチ４０が入っている場合は、ドアロックスイッチ２０、ドアアンロックスイッチ３０からの信号に基づいて、ドアロックの施錠時および開錠時の信号の発生回数を記録する。ｓ１０２において、設定スイッチ４０が入っていない場合は、周波数設定、デューティー比設定の初期化を行い（ｓ１０４）、記憶された信号の発生回数、ドアロックスイッチ２０からの信号、ドアアンロックスイッチ３０からの信号に基づいて、発生する信号の周波数設定（ｓ１０５）、デューティー比の設定（ｓ１０６）を行う、その後、ドアロック信号を受け付けたかどうかを判断し（ｓ１０７）、ドアロック信号を受け付けるまで、ｓ１０４からｓ１０６の動作を繰り返す（ｓ１０７）。ドアロック信号を受け付けた場合には、ドアロック信号が施錠時の信号かどうかが判断され（ｓ１０８）、施錠時の信号でない場合は、記憶されているドアロックの開錠時の信号発生回数がカウント値としてセットされる（ｓ１０９）。一方、施錠時の信号である場合は、記憶されているドアロックの施錠時の信号発生回数がカウント値としてセットされる（ｓ１１０）。その後、カウント値が０かどうかが判断され（ｓ１１１）、カウント値が０でない場合は、読み込まれた周波数とデューティー比に基づきた長さの信号が出力され、これにより、自動車の音発生装置から音が鳴り、スモールランプが点灯する（ｓ１１３）。また、信号が出力するたびに、カウント値から１が引かれる。ｓ１１１からｓ１１３までの動作をカウント値が０になるまで繰り返され、カウント値が０になったらｓ１０４に戻り、再び、ドアロック信号の受付を待つ。
【００１２】
本実施形態に係る自動車ドアロック通知装置Ｘは、上記のように音の発生パタン、スモールランプの点灯パタンをロータリー式のスイッチの位置により任意に設定できるので、簡易かつ迅速に設定作業が行える。これにより例えば、設定作業時に実際の音の発生パタンや光の点灯パタンを確認しながら作業を行っても労力的かつ時間的な負担はほとんどなく、また、操作者は設定操作を直感的に行うことができる。
なお、上記実施形態では、光や音の発生パタンを設定する設定器具として、４ビットBCD（２進化１０進）スイッチを用いたが、設定器具は、設定位置によってパラメーターの入力ができれば種々のものが採用でき、例えば、アブソリュート式のロータリーエンコーダーやリニアエンコーダーなどを用いることもできる。
【符号の説明】
【００１３】
Ｘ  自動車用ドアロック通知装置
１０  マイコン
２０  ドアロックスイッチ
３０  ドアアンロックスイッチ
４０  設定スイッチ
５０  電源スイッチ
６０  ＬＥＤランプ
７０  増幅器
７０Ａ  音量調整器
１１０  入力部
１２０  波形形成部
１３０  パルス幅設定部
１４０  ワンショットマルチバイブレーター
１５０  出力部
【図１】
2010084507.tif 000003
【図２】
2010084507.tif 000004
【図３】
2010084507.tif 000005
【図４】
2010084507.tif 000006